(57)【要約】【課題】注出口の大きさを大小自由に簡単に変えることができるようにして、注出量を広い範囲で調節できるようにしたスパウトを提供する。【解決手段】スパウト本体１の円筒口部１１に中栓２を回動自在に取り付け、この中栓２の円筒口部２１を閉鎖するようにして、スパウト本体１に外蓋３を被着したものとし、前記スパウト本体１の円筒口部１１内に隔壁１３を設け、前記中栓２の円筒口部２１の底部に底壁２２を設け、この底壁２２を前記スパウト本体１の隔壁１３に接触させたものとし、さらに前記スパウト本体１の隔壁１３に注出口１５を形成し、前記中栓２の底壁２２に、この隔壁１３の注出口１５に重なり合う開口２４を形成したものとしている。【選択図】図２
2013203421.tif 000002
【特許請求の範囲】
【請求項１】
スパウト本体（１）の円筒口部（１１）に中栓（２）を回動自在に取り付け、この中栓（２）の円筒口部（２１）を閉鎖するようにして、スパウト本体（１）に外蓋（３）を被着したものとし、前記スパウト本体（１）の円筒口部（１１）内に隔壁（１３）を設け、前記中栓（２）の円筒口部（２１）の底部に底壁（２２）を設け、この底壁（２２）を前記スパウト本体（１）の隔壁（１３）に接触させたものとし、さらに前記スパウト本体（１）の隔壁（１３）に注出口（１５）を形成し、前記中栓（２）の底壁（２２）に、この隔壁（１３）の注出口（１５）に重なり合う開口（２４）を形成したことを特徴とするスパウト。
【請求項２】
前記スパウト本体（１）の隔壁（１３）に形成した注出口（１５）は、隔壁（１３）の中心を中心点とする略円環形の一部形状とし、前記中栓（２）の底壁（２２）に形成した開口（２４）は、底壁（２２）の中心を中心点とする略円環形の一部形状としたことを特徴とする請求項１記載のスパウト。
【請求項３】
前記スパウト本体（１）の隔壁（１３）に形成した注出口（１５）は、隔壁（１３）の中心を中心点とする略扇形状とし、前記中栓（２）の底壁（２２）に形成した開口（２４）は、底壁（２２）の中心を中心点とする略扇形状としたことを特徴とする請求項１記載のスパウト。
【請求項４】
前記略円環形の一部形状とした注出口（１５）の中心角（α１）は、約９０〜２１０°の範囲で変更可能なものとし、前記略円環形の一部形状とした開口（２４）の中心角（α２）は、約６０〜１７０°の範囲で変更可能なものとし、この開口（２４）の幅（Ｗ２）は、前記略円環形の一部形状とした注出口（１５）の幅（Ｗ１）に等しいものとしたことを特徴とする請求項２記載のスパウト。
【請求項５】
前記略扇形状とした注出口（１５）の中心角（β１）は、約４５〜２１０°の範囲で変更可能なものとし、前記扇形状とした開口（２４）の中心角（β２）は、約３０〜１７０°の範囲で変更可能なものとし、この開口（２４）の半径（Ｒ２）は、前記略扇形状とした注出口（１５）の半径（Ｒ１）に等しいものとしたことを特徴とする請求項３記載のスパウト。
【請求項６】
前記中栓（２）の底壁（２２）の下部に、この底壁（２２）に形成した開口（２４）に近接させると共に、前記スパウト本体（１）の隔壁（１３）の注出口（１５）内に突出する廻止め突体（２５）を設けたことを特徴とする請求項１〜５の何れかに記載のスパウト。
【発明の詳細な説明】
【技術分野】
【０００１】
この発明は、飲料や流体食品などを収納するパウチ容器等に装着されるスパウトに関するものである。
【背景技術】
【０００２】
従来、この種のスパウトとしては、例えば図１５、１６に示したように、パウチ容器等に取り付けられる注出口４１を備えており、この注出口４１は容器本体４２の一側に溶着された取付部４３と、取付部４３から外方へ突出し、外面に外ねじ４４を設けた筒状部４５を有したものが存在する。そして、この筒状部４５には、筒状部４５の外ねじ４４に螺合する内ねじ４６を設けた外蓋４７を装着したものとしている。さらに、前記注出口４１内には、破断自在のシール板４８を取り付けたものとしている（特許文献１）。
【０００３】
上記図１５、１６に示したスパウトは、注出口４１内に破断自在のシール板４８を取り付けたので、シール板４８を破断するまでの間、容器本体４２の内容物に対して高い密封性を保つことができるとしている。
【０００４】
また、この種のスパウトとしては、例えば図１７に示したように、容器本体５１の口部５２に固定する筒状の本体部５３と、この本体部５３上に薄肉の破断部５４を介して周縁部下端を一体に連結した筒状とし、本体部５３内外を遮断する隔壁５５を内部に設けた栓部５６と、この栓部５６を被覆して本体部５３外周に着脱可能に装着したキャップ５７とを備えたものとしている（特許文献２）。
【０００５】
上記図１７に示したスパウトは、本体部５３上に薄肉の破断部５４を介して周縁部下端を一体に連結した筒状とし、本体部５３内外を遮断する隔壁５５を内部に設けた栓部５６を備えているため、収納物の殺菌処理等を収納物の漏れ等を心配することなく円滑に行えるとしている。
【先行技術文献】
【特許文献】
【０００６】
【特許文献１】特開２００４−６７１８４号公報
【特許文献２】特開２００６−６２７１９号公報
【発明の概要】
【発明が解決しようとする課題】
【０００７】
この種のスパウトにおいては、パウチ容器等に収納した飲料や流体食品などの注出量を調節したい場合がある。
【０００８】
しかしながら、上記従来のスパウトでは、パウチ容器等の押圧力によって注出量を調節することができるが、スパウトの注出口の大きさを変えることができないので、注出量を調節することができるといっても、注出量は僅かな範囲でしか調節することができないという問題点を有していた。
【０００９】
そこで、この発明は、上記従来の問題点を解決することをその課題としており、注出口の大きさを大小自由に簡単に変えることができるようにして、注出量を広い範囲で調節できるようにしたスパウトを提供することを目的としてなされたものである。
【課題を解決するための手段】
【００１０】
この発明のスパウトは、スパウト本体１の円筒口部１１に中栓２を回動自在に取り付け、この中栓２の円筒口部２１を閉鎖するようにして、スパウト本体１に外蓋３を被着したものとし、前記スパウト本体１の円筒口部１１内に隔壁１３を設け、前記中栓２の円筒口部２１の底部に底壁２２を設け、この底壁２２を前記スパウト本体１の隔壁１３に接触させたものとし、さらに前記スパウト本体１の隔壁１３に注出口１５を形成し、前記中栓２の底壁２２に、この隔壁１３の注出口１５に重なり合う開口２４を形成したものとしている。
【００１１】
そして、この発明のスパウトにおいて、前記スパウト本体１の隔壁１３に形成した注出口１５は、隔壁１３の中心を中心点とする略円環形の一部形状とし、前記中栓２の底壁２２に形成した開口２４は、底壁２２の中心を中心点とする略円環形の一部形状としている。
【００１２】
さらに、この発明のスパウトにおいて、前記スパウト本体１の隔壁１３に形成した注出口１５は、隔壁１３の中心を中心点とする略扇形状とし、前記中栓２の底壁２２に形成した開口２４は、底壁２２の中心を中心点とする略扇形状としている。
【００１３】
また、この発明のスパウトにおいて、前記略円環形の一部形状とした注出口１５の中心角α１は、約９０〜２１０°の範囲で変更可能なものとし、前記略円環形の一部形状とした開口２４の中心角α１は、約６０〜１７０°の範囲で変更可能なものとし、この開口２４の幅Ｗ２は、前記略円環形の一部形状とした注出口１５の幅Ｗ１に等しいものとしている。
【００１４】
さらに、この発明のスパウトにおいて、前記略扇形状とした注出口１５の中心角β１は、約４５〜２１０°の範囲で変更可能なものとし、前記扇形状とした開口２４の中心角β２は、約３０〜１７０°の範囲で変更可能なものとし、この開口２４の半径Ｒ２は、前記略扇形状とした注出口１５の半径Ｒ１に等しいものとしている
【００１５】
また、この発明のスパウトは、前記中栓２の底壁２２の下部に、この底壁２２に形成した開口２４に近接させると共に、前記スパウト本体１の隔壁１３の注出口１５内に突出する廻止め突体２５を設けたものとしている。
【発明の効果】
【００１６】
この発明のスパウトは、以上に述べたように構成されており、注出口の大きさを大小自由に簡単に変えることができるようにしたので、注出量を広い範囲で調節することができるものとなった。
【図面の簡単な説明】
【００１７】
【図１】この発明のスパウトの斜視図である。
【図２】この発明のスパウトを斜め下方から見た状態の分解斜視図である。
【図３】この発明のスパウトの組み立て状態を示す断面図である。
【図４】この発明のスパウトのスパウト本体の一形態の平面図である。
【図５】この発明のスパウトのスパウト本体の一形態の底面図である。
【図６】この発明のスパウトの中栓の一形態の平面図である。
【図７】この発明のスパウトの中栓の一形態の底面図である。
【図８】この発明のスパウトのスパウト本体の他の形態の平面図である。
【図９】この発明のスパウトのスパウト本体の他の形態の底面図である。
【図１０】この発明のスパウトの中栓の他の形態の平面図である。
【図１１】この発明のスパウトの中栓の他の形態の底面図である。
【図１２】この発明のスパウトのスパウト本体の注出口の開き具合（小）を示す説明図である。
【図１３】この発明のスパウトのスパウト本体の注出口の開き具合（中）を示す説明図である。
【図１４】この発明のスパウトのスパウト本体の注出口の開き具合（大）を示す説明図である。
【図１５】従来のスパウトの一例を示す半断面図である。
【図１６】図１５に示す従来のスパウトに外蓋が取り付けられた状態の断面図である。
【図１７】従来のスパウトの他の例を示す一部切欠断面図である。
【発明を実施するための形態】
【００１８】
以下、この発明のスパウトを実施するための形態を、図面に基づいて詳細に説明する。
【００１９】
この発明のスパウトは、スパウト本体１と中栓２と外蓋３とからなり、スパウト本体１の円筒口部１１に中栓２を回動自在に取り付け、この中栓２の円筒口部２１を閉鎖するようにして、スパウト本体１に外蓋３を螺合するなどして被着したものとしている。
【００２０】
前記スパウト本体１は、円筒口部１１の下部にパウチ容器等（図示せず）に融着するなどして取り付けられる取付部１２を設け、円筒口部１１内に隔壁１３を設け、さらに円筒口部１１の外周に、外蓋３の内周に設けた雌ネジ３１と螺合する雄ネジ１４を設けている。また、前記取付部１２の上部には、パウチ容器等を持ち運ぶときの持ち部となったり、パウチ容器等への支持部となるフランジ１６を設けている。なお、スパウト本体１は、このフランジ１６を直接、パウチ容器等に融着するなどして取り付けることもでき、この場合には、前記取付部１２を設けないものとしてもよい。
【００２１】
前記中栓２は、円筒口部２１の底部に底壁２２を設け、この底壁２２を前記スパウト本体１の隔壁１３に接触させたものとし、円筒口部２１の外周に筒状とした被着体２３を設け、この被着体２３と円筒口部２１の外周との間に、前記スパウト本体１の円筒口部１１の上部を挿入し、この円筒口部１１の周囲に中栓２が回動自在となるようにしている。また、前記被着体２３の上部には、後に述べるようにスパウト本体１の注出口１５の開口度を示す「少」「多」の文字や矢印等の表示２６を付している。なお、この表示２６は、前記被着体２３の外周部に付してもよい。
【００２２】
さらに、前記スパウト本体１の隔壁１３には、注出口１５を形成しており、前記中栓２の底壁２２には、この隔壁１３の注出口１５に重なり合う開口２４を形成したものとしている。なお、前記注出口１５と開口２４は、後に述べる形状に限定されるものではなく、また前記注出口１５と開口２４は、同一形状であっても、なくてもよい。
【００２３】
前記スパウト本体１の隔壁１３に形成した注出口１５は、図４、５に示したように、隔壁１３の中心を中心点とする略円環形（略円形リング形）の一部形状とし、その中心角α１を約２１０°にしたものとしている。さらに、前記注出口１５は、図８、９に示したように、隔壁１３の中心を中心点とする略扇形状とし、その中心角β１を約１２０°にしたものとしている。
【００２４】
なお、前記略円環形の一部形状とした注出口１５の中心角α１は、約９０〜２１０°の範囲で変更可能なものとしており、前記扇形状とした注出口１５の中心角β１は、約４５〜２１０°の範囲で変更可能なものとしている。
【００２５】
前記中栓２の底壁２２に形成した開口２４は、図６、７に示したように、底壁２２の中心を中心点とする略円環形（略円形リング形）の一部形状とし、その中心角α２を約１７０°にしたものとしている。さらに、前記開口２４は、図１０、１１に示したように、底壁２２の中心を中心点とする略扇形状とし、その中心角β２を約９０°にしたものとしている。
【００２６】
なお、前記略円環形の一部形状とした開口２４の中心角α２は、約６０〜１７０°の範囲で変更可能なものとしており、この開口２４の幅Ｗ２は、前記略円環形の一部形状とした注出口１５の幅Ｗ１に等しいものとしている。また、前記扇形状とした開口２４の中心角β２は、約３０〜１７０°の範囲で変更可能なものとしており、この開口２４の半径Ｒ２は、前記略扇形状とした注出口１５の半径Ｒ１に等しいものとしている。
【００２７】
さらに、前記中栓２の底壁２２の下部には、この底壁２２に形成した開口２４に近接させると共に、前記スパウト本体１の隔壁１３の注出口１５内に突出する廻止め突体２５を設けたものとしている。
【００２８】
なお、前記中栓２の底壁２２の下部に廻止め突体２５を設ける場合には、この廻止め突体２５を設ける分、前記中栓２の底壁２２に形成した開口２４の中心角α２、β２は、前記スパウト本体１の隔壁１３に形成した注出口１５の中心角α１、β１より、小さい角度にしたものとしている。
【００２９】
以上のように構成したこの発明のスパウトにおいて、その注出量を調節するには、次のようにして行う。
【００３０】
先ず、この発明のスパウトでは、スパウト本体１から外蓋３を外した状態にして、中栓２を時計回りと反対方向（表示２６の「少」方向）に回動させることにより、スパウト本体１の注出口１５内で中栓２の廻止め突体２５を移動させ、この廻止め突体２５をスパウト本体１の注出口１５の一端１５ａに当接させて停止させる。すると、図１２に示したように、スパウト本体１の注出口１５は、中栓２の底壁２２でほとんど塞がれ（中栓２の底壁２２の開口２４とほとんど重ならず）、少しだけ開放した状態となる。
【００３１】
次に、図１２に示した状態から、中栓２を時計回り方向（表示２６の「多」方向）に徐々に回動させることにより、スパウト本体１の注出口１５内で中栓２の廻止め突体２５を移動させ、この廻止め突体２５をスパウト本体１の注出口１５の中間位置で停止させる。すると、図１３に示したように、スパウト本体１の注出口１５は、中栓２の底壁２２で半分ほど塞がれ（中栓２の底壁２２の開口２４と半分ほど重なり）、半分ほど開放した状態となる。
【００３２】
さらに、図１３に示した状態から、中栓２を時計回り方向（表示２６の「多」方向）に徐々に回動させることにより、スパウト本体１の注出口１５内で中栓２の廻止め突体２５を移動させ、この廻止め突体２５をスパウト本体１の注出口１５のもう一端１５ｂに当接させて停止させる。すると、図１４に示したように、スパウト本体１の注出口１５は、中栓２の底壁２２でほとんど塞がれることなく（中栓２の底壁２２の開口２４にすべて重なり）、ほとんど開放した状態となる。
【００３３】
したがって、この発明のスパウトは、スパウト本体１の注出口１５の大きさを、中栓２の回動操作によって、大小自由に簡単に変えることができるものとなり、注出量を広い範囲で調節することができるものとなる。
【符号の説明】
【００３４】
１  スパウト本体
２  中栓
３  外蓋
１１  円筒口部
１３  隔壁
１５  注出口
２１  円筒口部
２２  底壁
２４  開口
α１  中心角
α２  中心角
β１  中心角
β２  中心角
Ｒ１  半径
Ｒ２  半径
Ｗ１  幅
Ｗ２  幅
【図１】
2013203421.tif 000003
【図２】
2013203421.tif 000004
【図３】
2013203421.tif 000005
【図４】
2013203421.tif 000006
【図５】
2013203421.tif 000007
【図６】
2013203421.tif 000008
【図７】
2013203421.tif 000009
【図８】
2013203421.tif 000010
【図９】
2013203421.tif 000011
【図１０】
2013203421.tif 000012
【図１１】
2013203421.tif 000013
【図１２】
2013203421.tif 000014
【図１３】
2013203421.tif 000015
【図１４】
2013203421.tif 000016
【図１５】
2013203421.tif 000017
【図１６】
2013203421.tif 000018
【図１７】
2013203421.tif 000019